(57)【特許請求の範囲】
【請求項１】
商品選択部と表示部と主制御部とを備えた自動販売機の主制御部と通信可能に設けられ、所定の情報記憶媒体に記憶された電子マネー情報を、商品選択部によって選択された商品に基づき読み書きすることにより電子マネーの決済処理を行う自動販売機用リーダライタにおいて、
電子マネーの決済処理で用いる商品販売価格情報を含み前記自動販売機の表示部に表示させるための表示制御情報を複数の電子マネーサービス毎に記憶した記憶手段と、
電子マネーの決済処理で用いる電子マネーサービスを複数の電子マネーサービスから選択する電子マネーサービス選択部と、
リーダライタ表示部と、
自動販売機の主制御部からの商品選択情報の受信及び前記電子マネーサービス選択部での電子マネーサービスの選択が行われると、該商品選択情報及び選択された電子マネーサービスに基づき、選択された電子マネーサービスを用いた場合の前記表示制御情報を前記記憶手段から取得し、該表示制御情報を自動販売機の主制御部に送信するとともに前記リーダライタ表示部に表示させる制御部とを備えた
ことを特徴とする自動販売機用リーダライタ。
【請求項２】
前記制御部は、一つの電子マネーサービスに対応する電子マネー情報が記憶された前記情報記憶媒体と通信可能になると、該電子マネーサービスに係る表示制御情報を前記記憶手段から取得し、該表示制御情報を自動販売機の主制御部に送信する
ことを特徴とする請求項１記載の自動販売機用リーダライタ。
【請求項３】
請求項１または２記載の自動販売機用リーダライタと、
表示部と、
表示制御情報を自動販売機用リーダライタから受信すると、表示制御情報に基づいて所定の表示内容を表示部に表示させる主制御部とを備えた
ことを特徴とする自動販売機。
【発明の詳細な説明】
【技術分野】
【０００１】
本発明は、例えば缶、ビンまたはペットボトル入りの飲料等の商品を販売する自動販売機に設けられ、電子マネー情報が記憶された情報記憶媒体に対して決済処理を行うことの可能な自動販売機用リーダライタ及びそれを備えた自動販売機に関するものである。
【背景技術】
【０００２】
従来、この種の自動販売機用リーダライタとして、商品選択部と表示部とを備えた自動販売機の主制御部と通信可能に設けられ、所定の情報記憶媒体に記憶された電子マネー情報を、商品選択部によって選択された商品に基づき読み書きすることにより電子マネーの決済処理を行うものが知られている（例えば特許文献１参照）。
【０００３】
この自動販売機用リーダライタでは、自動販売機の商品選択部を用いて商品が選択されると、選択商品の価格情報を自動販売機の主制御部から受信した後に、該価格情報と情報記憶媒体の電子マネー情報とを用いて電子マネーの決済処理を行うようになっている。また、電子マネーの決済処理が複数の電子マネーサービスに対応している場合には、各電子マネーサービスのうち一つの電子マネーサービスを選択するための電子マネーサービス選択部が自動販売機用リーダライタに設けられている。
【先行技術文献】
【特許文献】
【０００４】
【特許文献１】特開２００３−２２８７５０号公報
【発明の概要】
【発明が解決しようとする課題】
【０００５】
ところで、電子マネーの決済処理においては、決済処理に用いられる電子マネーサービスの種類に応じて商品の価格を任意に設定することが可能となっている。この場合、自動販売機の表示部には、例えば現金を用いたときの商品の価格が自動販売機の表示部に表示されていることから、自動販売機の表示部に表示された商品の販売価格と選択された電子マネーサービスを用いたときの商品の販売価格とが相違する場合がある。
【０００６】
しかしながら、前記従来例では、電子マネーサービスの選択及び電子マネーの決済処理が自動販売機用リーダライタ内で実行されることから、自動販売機の主制御部は、選択された電子マネーサービスの種類を判別することができず、自動販売機の表示部に表示された内容を変更することができない。従って、自動販売機の表示部には、現金を用いた場合の商品価格が、商品が選択されてから電子マネーの決済処理が終了するまでの間表示されていた。これにより、自動販売機の表示部に表示された商品の販売価格と選択された電子マネーサービスを用いたときの商品の販売価格とが相違することから、選択された電子マネーサービスを用いたときの商品の販売価格に基づいて電子マネーの決済処理が行われているのか否かを利用者が容易に判別することができず、電子マネーを用いた商品購入の利便性が損なわれるおそれがあった。
【０００７】
本発明は前記問題点に鑑みてなされたものであり、その目的とするところは、電子マネーを用いた商品購入の利便性を向上させることの可能な自動販売機用リーダライタ及びそれを備えた自動販売機を提供することにある。
【課題を解決するための手段】
【０００８】
本発明の自動販売機用リーダライタは、前記目的を達成するために、商品選択部と表示部と主制御部とを備えた自動販売機の主制御部と通信可能に設けられ、所定の情報記憶媒体に記憶された電子マネー情報を、商品選択部によって選択された商品に基づき読み書きすることにより電子マネーの決済処理を行う自動販売機用リーダライタにおいて、電子マネーの決済処理で用いる商品販売価格情報を含み前記自動販売機の表示部に表示させるための表示制御情報を複数の電子マネーサービス毎に記憶した記憶手段と、電子マネーの決済処理で用いる電子マネーサービスを複数の電子マネーサービスから選択する電子マネーサービス選択部と、リーダライタ表示部と、自動販売機の主制御部からの商品選択情報の受信及び前記電子マネーサービス選択部での電子マネーサービスの選択が行われると、該商品選択情報及び選択された電子マネーサービスに基づき、選択された電子マネーサービスを用いた場合の前記表示制御情報を前記記憶手段から取得し、該表示制御情報を自動販売機の主制御部に送信するとともに前記リーダライタ表示部に表示させる制御部とを備えている。                                                                              
【０００９】
また、本発明の自動販売機は、前記目的を達成するために、前記自動販売機用リーダライタと、表示部と、表示制御情報を自動販売機用リーダライタから受信すると、表示制御情報に基づいて所定の表示内容を表示部に表示させる主制御部とを備えている。
【００１０】
これにより、電子マネーの決済処理に用いられる電子マネーサービスが所定のタイミングで検出されると、該電子マネーサービスが検出された場合の表示内容を自動販売機の表示部に表示させるための表示制御情報が自動販売機の主制御部に送信されることから、検出された電子マネーサービスに応じた表示内容を自動販売機の表示部に表示させることが可能となる。
【発明の効果】
【００１１】
本発明によれば、検出された電子マネーサービスに応じた表示内容を自動販売機の表示部に表示させることができるので、例えば検出された電子マネーサービスの商品価格を自動販売機の表示部に表示させることができる。従って、検出された電子マネーサービスの商品価格に基づいて電子マネーの決済処理が行われていることを利用者が容易に判別することができ、電子マネーを用いた商品購入の利便性を向上させることができる。
【図面の簡単な説明】
【００１２】
【図１】本発明の第１の実施形態を示す自動販売機の概略構成図
【図２】図１に示した自動販売機の側面断面図
【図３】図１に示した自動販売機の正面要部拡大図
【図４】図１に示した自動販売機の機能ブロック図
【図５】第１の非接触ＩＣカードの機能ブロック図
【図６】第２の非接触ＩＣカードの機能ブロック図
【図７】主制御部及びＲＷ制御部の動作を説明するシーケンス図
【図８】本発明の第２の実施形態における主制御部及びＲＷ制御部の動作を説明するシーケンス図
【図９】本発明の第３の実施形態における主制御部及びＲＷ制御部の動作を説明するシーケンス図
【図１０】本発明の第４の実施形態における主制御部及びＲＷ制御部の動作を説明するシーケンス図
【図１１】本発明の第５の実施形態における主制御部及びＲＷ制御部の動作を説明するシーケンス図
【図１２】本発明の第６の実施形態における主制御部及びＲＷ制御部の動作を説明するシーケンス図
【図１３】本発明の第７の実施形態における主制御部及びＲＷ制御部の動作を説明するシーケンス図
【図１４】本発明の第８の実施形態における主制御部及びＲＷ制御部の動作を説明するシーケンス図
【発明を実施するための形態】
【００１３】
図１乃至図７は本発明の第１の実施形態を示すもので、図１は自動販売機の斜視図、図２は図１に示した自動販売機の側面断面図、図３は図１に示した自動販売機の機能ブロック図、図４は図１に示した自動販売機の機能ブロック図、図５は第１の非接触ＩＣカードの機能ブロック図、図６は第２の非接触ＩＣカードの機能ブロック図、図７は主制御部及びＲＷ制御部の動作を説明するシーケンス図である。
【００１４】
まず、図１乃至図３を参照して自動販売機の構造について説明する。
【００１５】
自動販売機本体１は箱形を成し、前面を開口した断熱室１ａをその内側に備えている。断熱室１ａは断熱性の仕切り板（図示省略）によって自動販売機本体１の幅方向に並ぶ複数の商品収納庫ＳＲに区分されている。
【００１６】
各商品収納庫ＳＲ内には、サーペンタイン式ラックから成る商品収納ラック２がそれぞれ配置されている。各商品収納ラック２は前面側上部に商品投入口２ａを有し、蛇行状の収納通路２ｂに缶入り飲料、瓶入り飲料、ペットボトル入り飲料等の商品Ｃを横向きで積み重ねた状態で収納している。また、各商品収納ラック２の下部には、収納商品Ｃを１個宛シュート板３上に落下搬出するための商品搬出機構２ｃが設けられている。さらに、各商品収納庫ＳＲ毎に配置された商品収納ラック２それぞれには、商品Ｃの有無を収納通路２ｂ単位で検知する売切検知センサ（図示省略）が設けられている。この商品収納ラック２には、サーペンタイン式ラックに限らず、サーペンタイン式ラックと同様に収納商品を１個宛搬出可能な他形式のラックを使用することが可能である。
【００１７】
また、各商品収納庫ＳＲ内には、その底部から背部にかけてシュート板３とダクト板４が設けられている。シュート板３及びダクト板４下側及び背面側の空間には、冷凍機構成機器のうちの蒸発器５と電熱ヒータ６と冷却・加温空気循環用送風機７等が配置され、ダクト板４の背面側空間はダクトＤとして構成されている。さらに、各商品収納庫ＳＲ内には、商品収納庫ＳＲの温度を検知する温度センサ（図示省略）がそれぞれ設けられている。
【００１８】
断熱室１ａの底板１ｂの下側には機械室ＭＲが設けられており、この機械室ＭＲ内には、冷凍機構成機器のうちの凝縮器８、圧縮機９及び膨張手段（図示省略）と排熱用送風機１０等が配置されている。
【００１９】
また、断熱室１ａの前側には、その前面開口を開閉自在に覆う断熱性の内扉１１が設けられている。断熱室１ａの上下左右の前端部（下側の前端部は底板１ｂの前端部）と各仕切り板の前端部には、内扉１１を閉じた状態で商品収納庫ＳＲを気密状態とするためのパッキン（符号無し）が設けられており、各商品収納庫ＳＲは内扉１１を閉じた状態で独立した断熱空間となる。さらに、内扉１１の下部には、各商品収納庫ＳＲのシュート板３に対応した窓穴１１ａが複数個形成されており、各窓穴１１ａには、シュート板３を滑り落ちる商品Ｃによって押し開けられるフラップドア１１ｂが設けられている。
【００２０】
つまり、この自動販売機では、各商品収納庫ＳＲが独立の断熱空間を構成し、しかも、各商品収納庫ＳＲに蒸発器５と電熱ヒータ６が独立して設けられていることから、後述の温度調整用設定器１５０（図４参照）によって商品収納庫ＳＲ毎に冷却と加温と非冷却・加温の三つのモードの何れか一つを任意に選択して実施することができる。
【００２１】
外扉１２は自動販売機本体１の前面開口に開閉自在に設けられており、この外扉１２の表面上部にはアクリル板等からなる透明板１２ａが設けられている。また、透明板１２ａの後方には、複数の商品サンプルＳを展示する展示室１３が設けられており、展示室１３には、各商品サンプルＳを載置するための複数の商品サンプル載置棚１３ａが上下方向に並列して配置されている。また、各商品サンプルＳの下方には、図３に示すように、商品選択部としての商品選択ボタン１４と、商品情報表示部１５とが、それぞれ商品サンプルＳに対応するように設けられている。商品情報表示部１５は発光ダイオード（ＬＥＤ）や液晶表示部材（ＬＣＤ）からなり、商品Ｃの販売価格、「ＨＯＴ」や「ＣＯＬＤ」等の冷温状態、販売本数、残数、販売総額、販売期間等の売上データ等を商品情報として表示可能に構成されている。また、商品情報表示部１５には、上述の商品情報以外の情報、例えば人の表情を表現するキャラクター表示や顔文字のような表示も行うことが可能である。
【００２２】
また、外扉１２の前面には、電子マネーサービスのロゴデータや選択商品の総額等を表示するための７セグメント型ＬＥＤや液晶表示部材（ＬＣＤ）からなる表示部１６、商品取出口２１、自動販売機用リーダライタ２００（以下、リーダライタ２００という）が図１に示すレイアウトで設けられている。因みに、商品取出口２１には、手動により開放可能なフラップドア２２が設けられ、その内側にはフラップドア１１ｂから排出された商品Ｃを受容する商品受け板２３が設けられている。
【００２３】
次に、図４を参照して図１乃至図３に示した自動販売機の制御系構成について説明する。
【００２４】
主制御部１００はＣＰＵ、ＲＡＭ、ＲＯＭ、タイマ回路等を備えたコンピュータから構成されている。主制御部１００には、記憶部１１０、搬出駆動部１２０、圧縮機駆動部１３０、ヒータ駆動部１４０、温度調整用設定器１５０、モデム１６０、通信部１７０、各商品選択ボタン１４、各商品情報表示部１５、表示部１６、リーダライタ２００が接続されており、主制御部１００は制御信号を上記各装置に送信することにより、各装置をそれぞれ制御するようになっている。また、主制御部１００には、各商品収納庫ＳＲ毎に配置された商品収納ラック２内の商品Ｃの有無を収納通路２ｂ単位で検知する売切検知部（図示省略）と、各商品収納庫ＳＲの温度を検知する温度検知部（図示省略）とが通信可能に接続されている。主制御部１００は、商品選択ボタン１４を用いて商品が選択されると、該商品の販売処理を行う。
【００２５】
記憶部１１０はＥＥＰＲＯＭ等の書き換え可能な記憶素子であり、主制御部１００の制御により情報が記憶される。記憶部１１０には、商品Ｃの販売価格、選択された商品Ｃに対応するコラム番号、ＪＡＮ（Japanese Article Number）コード等からなる商品情報が各商品Ｃ毎に事前に記憶されている。また、記憶部１１０には、後述の電子マネーの決済履歴等が主制御部１００の制御により記憶される。
【００２６】
搬出駆動部１２０は、各商品収納ラック２に設けられた商品搬出機構２ｃの動作、詳しくは商品搬出機構２ｃに用いられているソレノイド等のアクチュエータの動作を制御するためのもので、主制御部１００からの制御信号に基づいて所定の商品搬出機構２ｃを動作させて所期の商品搬出を行う。
【００２７】
圧縮機駆動部１３０は、冷凍機を構成する圧縮機９の動作、詳しくは圧縮機９を駆動するためのモータの運転を制御するためのもので、主制御部１００からの制御信号に基づいて所期の圧縮機駆動を行う。
【００２８】
ヒータ駆動部１４０は、各電熱ヒータ６への通電を制御するためのもので、主制御部１００からの制御信号に基づいて所定の電熱ヒータ６への通電を行う。
【００２９】
温度調整用設定器１５０は、先に述べた三つのモードの何れか一つを各商品収納庫ＳＲ毎に選択するためのもので、モード選択用の押しボタンスイッチ等を備え、選択されたモードに関するデータを主制御部１００に送出する。
【００３０】
モデム１６０は公衆電話回線１６１等を利用して外部サーバ等との間でデータ通信を行うためのものであり、通信部１７０は携帯電話網やＰＨＳ電話網等を利用して外部サーバ等との間でデータ通信を行うためのものである。
【００３１】
次に、本実施形態のリーダライタ２００の構成について説明する。
【００３２】
リーダライタ２００は、情報記憶媒体としての第１の非接触ＩＣカード３００及び第２の非接触ＩＣカード４００それぞれに記憶された電子マネー情報を、主制御部１００からの制御信号に基づいて読み書きすることにより、電子マネーの決済処理を行うものである。また、リーダライタ２００は、コネクタ２０１、表示部２０２、電子マネーサービス選択手段としての電子マネーサービス選択ボタン２０３、ＲＦ回路部２０４、アンテナ２０５、記憶部２０６及びリーダライタ制御部２０７（以下、ＲＷ制御部２０７という）を備えており、ＲＷ制御部２０７には各機器２０１〜２０６が接続されている。
【００３３】
コネクタ２０１は、ＲＷ制御部２０７と主制御部１００とを接続するためのインタフェース部として用いられるものであって、リーダライタ２００内に一つ設けられている。
【００３４】
表示部２０２は周知の液晶ディスプレイ等の表示機器であり、ＲＷ制御部２０７から受信した文字情報や画像情報を所定の大きさで表示する。
【００３５】
電子マネーサービス選択ボタン２０３は、電子マネーによる決済処理の際に用いられる電子マネーサービスの種類を選択するためのものであって、押下されると、そのボタンに対応する電子マネーサービスの種類を示す信号をＲＷ制御部２０７に送信する。なお、本実施形態では、「電子マネーサービスＡ」と「電子マネーサービスＢ」という２つの電子マネーサービスを、複数の電子マネーサービスの一例として用いる。
【００３６】
ＲＦ回路部２０４は、各非接触ＩＣカード３００，４００に対して電波を放射することにより各非接触ＩＣカード３００，４００との間で通信を行うアンテナ２０５を介して、ＲＷ制御部２０７と各非接触ＩＣカード３００，４００との間のデータ通信を非接触で行うためのものであって、周知のＡＤ／ＤＡ変換器及び整流回路等から構成されている。
【００３７】
記憶部２０６はＥＥＰＲＯＭ等の書き換え可能な記憶素子であり、電子マネーサービスＡによる決済処理を行うための電子マネーサービスＡ用決済プログラム２０６ａと、電子マネーサービスＢによる決済処理を行うための電子マネーサービスＢ用決済プログラム２０６ｂとが記憶されている。また、記憶部２０６には、各電子マネーサービスを用いたときの各商品Ｃの販売価格（以下、電子マネー価格という）と、各電子マネーサービスのロゴデータと、後述する各電子マネーサービスのサービスＩＤ３０３ａ，４０３ａ，４０４ａとが事前に記憶されている。
【００３８】
ＲＷ制御部２０７はＣＰＵ、ＲＡＭ、ＲＯＭ及びタイマ回路等を備えたコンピュータからなり、リーダライタ２００内の各種機器を制御するためのものである。なお、ＲＷ制御部２０７の詳細な動作については後述する。
【００３９】
次に、電子マネーの決済処理を行うために用いられる第１の非接触ＩＣカード３００及び第２の非接触ＩＣカード４００の構成について図５、図６を参照して説明する。なお、第１の非接触ＩＣカード３００は、電子マネーサービスＡによる決済処理のみに用いられるものであり、第２の非接触ＩＣカード４００は、電子マネーサービスＡまたは電子マネーサービスＢによる決済処理に用いられるものである。
【００４０】
第１及び第２の非接触ＩＣカード３００，４００には、リーダライタ２００との間で非接触で信号を送受信するためのコイル状のＩＣカード用アンテナ（図示省略）と、アンテナに接続されたＩＣチップとが埋設されている。このＩＣチップには、図５及び図６に示すように、ＩＣチップ内の回路を制御するＩＣカード制御部３０１，４０１と、各種情報を記憶するＩＣカード記憶部３０２，４０２とが設けられている。
【００４１】
ＩＣカード制御部３０１，４０１はＣＰＵ及びＲＡＭ、ＲＯＭ等のメモリを備え、リーダライタ２００からＩＣカード用アンテナを介して受信したＩＣカード用コマンドに応じてＩＣカード記憶部３０２，４０２に記憶された各種情報の更新または読出し処理を行う。
【００４２】
ＩＣカード記憶部３０２，４０２はＥＥＰＲＯＭ等の書き換え可能な記憶素子であり、第１の非接触ＩＣカード３００のＩＣカード記憶部３０２の記憶領域には、電子マネーサービスＡの領域３０３が設けられており、第２の非接触ＩＣカード４００のＩＣカード記憶部４０２の記憶領域には、電子マネーサービスＡの領域４０３と電子マネーサービスＢの領域４０４とが設けられている。
【００４３】
各領域３０３，４０３，４０４には、それぞれサービスＩＤ３０３ａ，４０３ａ，４０４ａと、利用者ＩＤ３０３ｂ，４０３ｂ，４０４ｂと、電子マネー情報３０３ｃ，４０３ｃ，４０４ｃが記憶されている。各サービスＩＤ３０３ａ，４０３ａ，４０４ａは電子マネーサービスの種類を識別するためのものであり、電子マネーサービス毎に異なるＩＤが付与されている。なお、サービスＩＤ３０３ａ及び４０３ａには、同一のＩＤが付与されている。また、利用者ＩＤ３０３ｂ，４０３ｂ，４０４ｂは各電子マネーサービスの利用者を識別するためのものであり、各非接触ＩＣカード３００，４００毎に異なるＩＤが付与されている。なお、電子マネー情報３０３ｃ，４０３ｃ，４０４ｃには、プリペイド方式やポストペイド方式の電子マネー決済に対応するために、電子マネーの残高やクレジット番号等を用いることが可能である。ここで、本実施形態では、電子マネー残高を電子マネー情報３０３ｃ，４０３ｃ，４０４ｃとして用いている。
【００４４】
以上のように構成されたリーダライタ２００及びそれを備えた自動販売機では、電子マネーサービス選択ボタン２０３によって電子マネーサービスが選択されると、該電子マネーサービスが選択された場合の表示内容を自動販売機の商品情報表示部１５又は表示部１６に表示させるための表示制御情報を自動販売機の主制御部１００に送信することにより、選択された電子マネーサービスに応じた表示内容を自動販売機の商品情報表示部１５又は表示部１６に表示させることができるようになっている。
【００４５】
ここで、本実施形態において電子マネーを用いて商品購入を行う際の自動販売機の主制御部１００及びリーダライタ２００のＲＷ制御部２０７の動作について、図７のシーケンス図を参照して説明する。ここで、商品購入の流れを簡単に説明すると、利用者が、商品を選択して、電子マネーの決済処理に用いられる電子マネーサービスを選択した後に、第１の非接触ＩＣカード３００又は第２の非接触ＩＣカード４００をリーダライタ２００と通信可能な範囲内にかざすことにより、電子マネーの決済処理が行われる。そして、決済処理が正常に終了すると、商品Ｃが搬出される。
【００４６】
まず、主制御部１００は、各商品Ｃの現金を用いたときの販売価格（例えば１２０円）、「ＨＯＴ」や「ＣＯＬＤ」等の冷温状態を、各商品Ｃに対応する商品情報表示部１５に表示させる。そして、利用者が商品選択ボタン１４を用いて商品Ｃを選択すると（ステップＳ１−１）、主制御部１１０は、選択された商品Ｃに対応する商品選択ボタン１４の選択ランプを点灯させるとともに、選択商品の販売価格を表示部１６に表示させる（ステップＳ１−２）。
【００４７】
また、主制御部１００は、選択された商品Ｃの商品情報、詳しくは商品Ｃの販売価格及び選択された商品Ｃに対応する商品収納ラック番号を記憶部１１０から抽出し、該商品情報をリーダライタ２００に送信する（ステップＳ１−３）。ここで、利用者は、リーダライタ２００が非接触ＩＣカード３００，４００と通信可能（後述のステップＳ１−７にて説明する。）になるまでの間に商品選択ボタン１４を用いて他の商品Ｃを選択することができる。この場合、主制御部１００は、商品Ｃが選択される毎に、選択商品Ｃの商品情報をリーダライタ２００に送信するとともに、選択商品Ｃの総額を表示部１６に表示させる。
【００４８】
一方、ＲＷ制御部２０７は、利用者が電子マネーサービス選択ボタン２０３を用いて一つの電子マネーサービス（例えば電子マネーサービスＡ）を選択すると（ステップＳ１−４）、選択された電子マネーサービスＡを、電子マネーの決済処理に用いられる電子マネーサービスとして検出する。また、ＲＷ制御部２０７は、電子マネーサービスＡが用いられたときの各商品Ｃの電子マネー価格のうち、コネクタ２０１を介して主制御部１００から受信した商品情報に対応する商品Ｃの電子マネー価格（例えば１００円）を抽出して表示部２０２に表示させる。
【００４９】
また、ＲＷ制御部２０７は、所定の電波をアンテナ２０５から所定時間（例えば２０秒）放射させる。ここで、ＲＷ制御部２０７は、非接触ＩＣカード３００，４００から所定の応答信号を取得するためのＩＣカード用コマンドを、ＲＦ回路部２０４を介してアンテナ２０５に送信する。また、アンテナ２０５から放射される電波には、該ＩＣカード用コマンドが重畳されている。なお、本実施形態では、非接触ＩＣカード３００，４００固有のカードＩＤ（図示省略）を応答信号として用いている。
【００５０】
さらに、ＲＷ制御部２０７は、電子マネーサービスＡが選択された場合の表示内容を自動販売機の商品情報表示部１５及び表示部１６に表示させるための表示制御情報を、コネクタ２０１を介して主制御部１００に送信する（ステップＳ１−５）。ここで、表示制御情報には、上記の電子マネー価格及び電子マネーロゴデータが含まれている。
【００５１】
次いで、主制御部１００は、リーダライタ２００から表示制御情報を受信すると、選択電子マネーサービスの表示処理を行う（ステップＳ１−６）。具体的に説明すると、主制御部１００は、表示制御情報に含まれる電子マネー価格及び電子マネーロゴデータを、選択商品Ｃに対応する商品情報表示部１５に表示させるとともに、電子マネー価格に基づき更新された選択商品Ｃの総額を表示部１６に表示させる。これにより、選択された電子マネーサービスＡの電子マネー価格を自動販売機の商品情報表示部１５及び表示部１６に表示させることができる。ここで、上記電子マネーロゴデータを、商品情報表示部１５及び表示部１６の何れか一方に表示してもよいし、両方に表示してもよい。
【００５２】
一方、ＲＷ制御部２０７は、第１または第２の非接触ＩＣカード３００，４００の検出処理を行う（ステップＳ１−７）。具体的に説明すると、利用者が、ステップＳ１−４にてアンテナ２０５から電波が放射されている所定時間内に第１または第２の非接触ＩＣカード３００，４００をリーダライタ２００にかざすと、第１または第２の非接触ＩＣカード３００，４００のＩＣカード制御部３０１，４０１は、アンテナ２０５から放射された電波により起動するとともに、リーダライタ２００から受信したＩＣカード用コマンドに対して応答信号を送信する。そして、ＲＷ制御部２０７は、アンテナ２０５及びＲＦ回路部２０４を介して第１または第２の非接触ＩＣカード３００，４００から応答信号を受信することにより、第１または第２の非接触ＩＣカード３００，４００を検出する。ここでは、第１の非接触ＩＣカード３００が検出されたものとする。また、第１または第２の非接触ＩＣカード３００，４００が検出されたことにより、ＲＷ制御部２０７は、第１または第２の非接触ＩＣカード３００，４００と通信可能な状態となる。
【００５３】
次に、ＲＷ制御部２０７は、電子マネー価格と、選択された電子マネーサービスとに基づいて、電子マネーの決済処理を行う（ステップＳ１−８）。ＲＷ制御部２０７は、ステップＳ１−４にて選択された電子マネーサービスＡの決済プログラム２０６ａを記憶部２０６から読み出してＲＡＭに記憶し、該決済プログラム２０６ａを実行する。この決済プログラム２０６ａが実行されると、ＲＷ制御部２０７は、電子マネー価格を用いて電子マネーサービスＡの電子マネー情報３０３ｃを更新するためのＩＣカード用コマンドを、ＲＦ回路部２０４及びアンテナ２０５を介して第１の非接触ＩＣカード３００に送信する。
【００５４】
一方、第１の非接触ＩＣカード３００のＩＣカード制御部３０１は、リーダライタ２００から前記ＩＣカード用コマンドを受信すると、ＩＣカード用コマンドに含まれた電子マネー価格を用いて電子マネーサービスＡの電子マネー情報３０３ｃを更新した後に、所定の決済終了信号をリーダライタ２００に送信する。そして、ＲＷ制御部２０７がアンテナ２０５及びＲＦ回路部２０４を介して決済終了信号を受信することにより、電子マネーの決済処理が正常に終了する。
【００５５】
そして、ＲＷ制御部２０７は、電子マネーの決済処理が正常に終了した場合に、決済終了信号、カードＩＤ、利用者ＩＤ３０３ｂ及び電子マネー価格からなる決済履歴を、コネクタ２０１を介して主制御部１００に送信する（ステップＳ１−９）。なお、利用者ＩＤ３０３ｂは、利用者ＩＤ３０３ｂを読み出すためのＩＣカード用コマンドを第１の非接触ＩＣカード３００に送信することにより、取得される。
【００５６】
また、主制御部１００は、決済履歴をリーダライタ２００から受信すると、ステップＳ１−１にて選択された商品Ｃが収納されている商品収納ラック２の商品搬出機構２ｃを動作させて商品搬出を行う。
【００５７】
なお、上記シーケンスでは説明を省略したが、ＲＷ制御部２０７は、電子マネーの決済終了後に、第１の非接触ＩＣカード３００の電子マネー情報３０３ｃを表示部２０２に表示させる。
【００５８】
このようにして、電子マネーの決済処理に用いられる電子マネーサービスが所定のタイミング（電子マネーサービス選択ボタン２０３によって電子マネーサービスが選択されたとき）で検出されると、該電子マネーサービスが検出された場合の表示内容を自動販売機の商品情報表示部１５及び表示部１６に表示させるための表示制御情報が自動販売機の主制御部１００に送信されることから、検出された電子マネーサービスに応じた表示内容を自動販売機の表示部に表示させることが可能となる。
【００５９】
このように、本実施形態の自動販売機用リーダライタ２００及び自動販売機によれば、検出された電子マネーサービスに応じた表示内容を自動販売機の商品情報表示部１５及び表示部１６に表示させることができるので、例えば検出された電子マネーサービスの商品価格を自動販売機の商品情報表示部１５及び表示部１６に表示させることができる。従って、検出された電子マネーサービスの電子マネー価格に基づいて電子マネーの決済処理が行われていることを利用者が容易に判別することができ、電子マネーを用いた商品購入の利便性を向上させることができる。
【００６０】
また、電子マネーの決済処理に用いられる複数の電子マネーサービスのうち一つの電子マネーサービスを選択するための電子マネーサービス選択ボタン２０３を備え、ＲＷ制御部２０７は、電子マネーサービス選択ボタン２０３によって電子マネーサービスが選択されることにより、前記電子マネーの決済処理に用いられる電子マネーサービスを検出すると、該電子マネーサービスが検出された場合の表示内容を自動販売機の表示部に表示させるための表示制御情報を、自動販売機の主制御部に送信するので、電子マネーサービスが選択される毎に選択電子マネーサービスを用いたときの表示内容が変更されることを利用者が容易に確認することができ、利便性をより向上させることができる。
【００６１】
さらに、ＲＷ制御部２０７は、商品Ｃが商品選択ボタン１４を用いて選択された後に電子マネーサービスが電子マネーサービス選択ボタン２０３を用いて選択された場合に、選択された電子マネーサービスを用いたときの選択商品の販売価格を自動販売機の商品情報表示部１５及び表示部１６に表示させるための表示制御情報を、自動販売機の主制御部１００に送信するので、電子マネーサービスの選択により商品Ｃの販売価格が変更されたことを利用者が容易に確認することができ、利便性をより向上させることができる。
【００６２】
以下に、本発明の第２の実施形態に係るリーダライタ２００及び自動販売機について説明する。本実施形態が第１の実施形態と異なる点は、商品購入が、商品を選択して、第１の非接触ＩＣカード３００又は第２の非接触ＩＣカード４００をリーダライタ２００と通信可能な範囲内にかざした後に電子マネーの決済処理に用いられる電子マネーサービスを選択するという順で行われる点にある。他の構成及び動作については第１の実施形態と同様なので、ここでは相違点のみを説明する。
【００６３】
本実施形態において電子マネーを用いて商品購入を行う際の自動販売機の主制御部１００及びリーダライタ２００のＲＷ制御部２０７の動作について、図８のシーケンス図を参照して説明する。
【００６４】
利用者が商品選択ボタン１４を用いて商品Ｃを選択すると（ステップＳ２−１）、主制御部１１０は、選択された商品Ｃに対応する商品選択ボタン１４の選択ランプを点灯させるとともに、選択商品の販売価格を表示部１６に表示させる（ステップＳ２−２）。
【００６５】
また、主制御部１００は、選択された商品Ｃの商品情報、詳しくは商品Ｃの販売価格及び選択された商品Ｃに対応する商品収納ラック番号を記憶部１１０から抽出し、該商品情報をリーダライタ２００に送信する（ステップＳ２−３）。
【００６６】
一方、ＲＷ制御部２０７は、商品情報を受信すると、所定の電波をアンテナ２０５から所定時間（例えば２０秒）放射させることにより非接触ＩＣカードの検出処理を行う（ステップＳ２−４）。なお、ここでの処理内容は、前述したステップＳ１−７の処理内容と同様である。また、本実施形態では、第２の非接触ＩＣカード４００が検出されたものとする。そして、ＲＷ制御部２０７は、検出された第２の非接触ＩＣカード４００から各電子マネーサービスＡ，ＢのサービスＩＤ４０３ａ，４０４ａ、利用者ＩＤ４０３ｂ，４０４ｂ及び電子マネー情報４０３ｃ，４０４ｃを読み出し、読み出された情報をＩＣカード情報として主制御部１００に送信する（ステップＳ２−５）。さらに、主制御部１００は、ＩＣカード情報をリーダライタ２００から受信すると、ＩＣカード情報に含まれる電子マネー情報４０３ｃ，４０４ｃを表示部１６に表示させる（ステップＳ２−６）。
【００６７】
次いで、ＲＷ制御部２０７は、利用者が電子マネーサービス選択ボタン２０３を用いて一つの電子マネーサービス（例えば電子マネーサービスＡ）を選択すると（ステップＳ２−７）、電子マネーサービスＡのサービスＩＤ３０３ａを記憶部２０６から抽出した後に、該サービスＩＤ３０３ａ、電子マネーサービスＡのロゴデータ及び電子マネーサービスＡが用いられたときの各商品Ｃの電子マネー価格を表示制御情報として主制御部１００に送信する（ステップＳ２−８）。
【００６８】
一方、主制御部１００は、表示制御情報をリーダライタ２００から受信すると、選択電子マネーサービスの表示処理を行う（ステップＳ２−９）。具体的に説明すると、主制御部１００は、ステップＳ２−６にて表示された各電子マネー情報４０３ｃ，４０４ｃのうち電子マネーサービスＡの電子マネー情報４０３ｃと、表示制御情報に含まれた電子マネーサービスＡのロゴデータとを表示部１６に表示させるとともに、各商品Ｃの電子マネー価格を各商品Ｃに対応する商品情報表示部１５に表示させる。これにより、複数の電子マネーサービスＡ，Ｂのうち一つの電子マネーサービスＡが選択されたことが識別可能となる。
【００６９】
そして、ＲＷ制御部２０７は、電子マネー価格と、選択された電子マネーサービスとに基づいて、電子マネーの決済処理を行う（ステップＳ２−１０）。なお、ここでの処理内容は、前述したステップＳ１−８の処理内容と同様である。また、ＲＷ制御部２０７は、電子マネーの決済処理が正常に終了した場合に、決済終了信号、カードＩＤ、利用者ＩＤ４０３ｂ及び電子マネー価格からなる決済履歴を、コネクタ２０１を介して主制御部１００に送信する（ステップＳ２−１１）。
【００７０】
このように、本実施形態の自動販売機用リーダライタ２００及び自動販売機によれば、ＲＷ制御部２０７は、第２の非接触ＩＣカード４００と通信可能になった後に電子マネーサービスＡが電子マネーサービス選択ボタン２０３を用いて選択された場合に、第２の非接触ＩＣカード４００に記憶された複数の電子マネー情報４０３ｃ，４０４ｃそれぞれに対応する複数の電子マネーサービスのうち一つの電子マネーサービスが選択されたことを識別可能な表示内容を自動販売機の商品情報表示部１５及び表示部１６に表示させるための表示制御情報を、自動販売機の主制御部１００に送信するので、第２の非接触ＩＣカード４００に記憶された複数の電子マネーサービスのうち一つの電子マネーサービスが選択されたことを利用者が容易に確認することができ、利便性をより向上させることができる。
【００７１】
以下に、本発明の第３の実施形態に係るリーダライタ２００及び自動販売機について説明する。本実施形態が前述した第２の実施形態と異なる点は、ＲＷ制御部２０７が、一つの電子マネーサービスに対応する電子マネー情報が記憶された非接触ＩＣカード（第１の非接触ＩＣカード３００）と通信可能になることにより、電子マネーの決済処理に用いられる電子マネーサービスを検出すると、該電子マネーサービスが検出された場合の表示内容を自動販売機の商品情報表示部１５及び表示部１６に表示させるための表示制御情報を、自動販売機の主制御部１００に送信する点にある。他の構成及び動作については第２の実施形態と同様なので、ここでは相違点のみを説明する。
【００７２】
本実施形態において電子マネーを用いて商品購入を行う際の自動販売機の主制御部１００及びリーダライタ２００のＲＷ制御部２０７の動作について、図９のシーケンス図を参照して説明する。
【００７３】
利用者が商品選択ボタン１４を用いて商品Ｃを選択すると（ステップＳ３−１）、主制御部１１０は、選択された商品Ｃに対応する商品選択ボタン１４の選択ランプを点灯させるとともに、選択商品の販売価格を表示部１６に表示させる（ステップＳ３−２）。
【００７４】
また、主制御部１００は、選択された商品Ｃの商品情報、詳しくは商品Ｃの販売価格及び選択された商品Ｃに対応する商品収納ラック番号を記憶部１１０から抽出し、該商品情報をリーダライタ２００に送信する（ステップＳ３−３）。
【００７５】
一方、ＲＷ制御部２０７は、商品情報を受信すると、所定の電波をアンテナ２０５から所定時間（例えば２０秒）放射させることにより非接触ＩＣカードの検出処理を行う（ステップＳ３−４）。なお、ここでの処理内容は、前述したステップＳ１−７の処理内容と同様である。また、本実施形態では、第１の非接触ＩＣカード３００が検出されたものとする。ここで、ＲＷ制御部２０７は、検出された第１の非接触ＩＣカード３００から電子マネーサービスＡのサービスＩＤ３０３ａ、利用者ＩＤ３０３ｂ及び電子マネー情報３０３ｃを読み出す。この場合、ＲＷ制御部２０７は、一つの電子マネーサービス（電子マネーサービスＡ）に対応する電子マネー情報が記憶された第１の非接触ＩＣカード３００と通信可能になることにより、該電子マネーサービスＡを、電子マネーの決済処理に用いられる電子マネーサービスとして検出する。そして、ＲＷ制御部２０７は、第１の非接触ＩＣカード３００から読み出したサービスＩＤ３０３ａ及び電子マネー情報３０３ｃと、電子マネーサービスＡのロゴデータと、電子マネーサービスＡが用いられたときの各商品Ｃの電子マネー価格とを表示制御情報として主制御部１００に送信する（ステップＳ３−５）。
【００７６】
一方、主制御部１００は、表示制御情報をリーダライタ２００から受信すると、検出電子マネーサービスの表示処理を行う（ステップＳ３−６）。具体的に説明すると、主制御部１００は、表示制御情報に含まれる電子マネー情報３０３ｃ及び電子マネーサービスＡのロゴデータを表示部１６に表示させるとともに、各商品Ｃの電子マネー価格を各商品Ｃに対応する商品情報表示部１５に表示させる。これにより、電子マネーサービスＡに応じた表示内容を、自動販売機の商品情報表示部１５及び表示部１６に容易に表示させることができる。この場合、例えば電子マネーサービス選択ボタン等の電子マネーサービス選択部を用いて電子マネーサービスを選択するという操作が不要となることから、商品購入時における利用者の利便性を向上させることができる。
【００７７】
そして、ＲＷ制御部２０７は、電子マネー価格と、検出された電子マネーサービスとに基づいて、電子マネーの決済処理を行う（ステップＳ３−７）。なお、ここでの処理内容は、前述したステップＳ１−８の処理内容と同様である。また、ＲＷ制御部２０７は、電子マネーの決済処理が正常に終了した場合に、決済終了信号、カードＩＤ、利用者ＩＤ３０３ｂ及び電子マネー価格からなる決済履歴を、コネクタ２０１を介して主制御部１００に送信する（ステップＳ３−８）。
【００７８】
このように、ＲＷ制御部２０７は、一つの電子マネーサービス（電子マネーサービスＡ）に対応する電子マネー情報３０３ｃが記憶された第１の非接触ＩＣカード３００と通信可能になることにより、電子マネーの決済処理に用いられる電子マネーサービス（電子マネーサービスＡ）を検出すると、該電子マネーサービスが検出された場合の表示内容を自動販売機の商品情報表示部１５及び表示部１６に表示させるための表示制御情報を、自動販売機の主制御部１００に送信するので、電子マネーサービスＡに応じた表示内容を自動販売機の商品情報表示部１５及び表示部１６に容易に表示させることができる。従って、利用者が、商品Ｃの販売価格が変更されたことを、非接触ＩＣカードをリーダライタにかざすという容易な操作により確認できることから、利便性をより向上させることができる。
【００７９】
以下に、本発明の第４の実施形態に係るリーダライタ２００及び自動販売機について説明する。本実施形態が前述した各実施形態と異なる点は、商品購入が、第１の非接触ＩＣカード３００又は第２の非接触ＩＣカード４００をリーダライタ２００と通信可能な範囲内にかざし、商品を選択した後に電子マネーの決済処理に用いられる電子マネーサービスを選択するという順で行われる点にある。他の構成及び動作については第１の実施形態と同様なので、ここでは相違点のみを説明する。
【００８０】
本実施形態において電子マネーを用いて商品購入を行う際の自動販売機の主制御部１００及びリーダライタ２００のＲＷ制御部２０７の動作について、図１０のシーケンス図を参照して説明する。
【００８１】
ＲＷ制御部２０７は、所定の電波をアンテナ２０５から所定時間（例えば２０秒）放射させることにより非接触ＩＣカードの検出処理を行う（ステップＳ４−１）。なお、ここでの処理内容は、前述したステップＳ１−７の処理内容と同様である。また、本実施形態では、第２の非接触ＩＣカード４００が検出されたものとする。そして、ＲＷ制御部２０７は、検出された第２の非接触ＩＣカード４００から各電子マネーサービスＡ，ＢのサービスＩＤ４０３ａ，４０４ａ、利用者ＩＤ４０３ｂ，４０４ｂ及び電子マネー情報４０３ｃ，４０４ｃを読み出し、読み出された情報をＩＣカード情報として主制御部１００に送信する（ステップＳ４−２）。
【００８２】
一方、主制御部１００は、ＩＣカード情報をリーダライタ２００から受信すると、ＩＣカード情報に含まれる電子マネー情報４０３ｃ，４０４ｃを表示部１６に表示させる（ステップＳ４−３）。また、主制御部１００は、利用者が商品選択ボタン１４を用いて商品Ｃを選択すると（ステップＳ４−４）、選択された商品Ｃに対応する商品選択ボタン１４の選択ランプを点灯させるとともに、選択商品の販売価格を表示部１６に表示させる。また、主制御部１００は、選択された商品Ｃの商品情報を記憶部１１０から抽出し、該商品情報をリーダライタ２００に送信する（ステップＳ４−５）。
【００８３】
ＲＷ制御部２０７は、商品情報を受信した後に、利用者が電子マネーサービス選択ボタン２０３を用いて一つの電子マネーサービス（例えば電子マネーサービスＡ）を選択すると（ステップＳ４−６）、電子マネーサービスＡが用いられたときの各商品Ｃの電子マネー価格のうち、コネクタ２０１を介して主制御部１００から受信した商品情報に含まれるＪＡＮコードに対応する商品Ｃの電子マネー価格を抽出して表示部２０２に表示させる。また、ＲＷ制御部２０７は、抽出された電子マネー価格を含む表示制御情報を主制御部１００に送信する（ステップＳ４−７）。
【００８４】
主制御部１００は、リーダライタ２００から表示制御情報を受信すると、選択電子マネーサービスの表示処理を行う（ステップＳ４−８）。ここでの処理内容は、前述したステップＳ１−６の処理内容と同様である。
【００８５】
次に、ＲＷ制御部２０７は、電子マネー価格と、選択された電子マネーサービスとに基づいて、ステップＳ１−８と同様に電子マネーの決済処理を行い（ステップＳ４−９）、決済処理が正常に終了した場合には、決済終了信号、カードＩＤ、利用者ＩＤ４０３ｂ及び電子マネー価格からなる決済履歴を、コネクタ２０１を介して主制御部１００に送信する（ステップＳ４−１０）。
【００８６】
このように、ＲＷ制御部２０７は、商品Ｃが商品選択ボタン１４を用いて選択された後に電子マネーサービスが電子マネーサービス選択ボタン２０３を用いて選択された場合に、選択された電子マネーサービスを用いたときの選択商品の販売価格を自動販売機の商品情報表示部１５及び表示部１６に表示させるための表示制御情報を、自動販売機の主制御部１００に送信するので、電子マネーサービスの選択により商品Ｃの販売価格が変更されたことを利用者が容易に確認することができ、利便性をより向上させることができる。
【００８７】
以下に、本発明の第５の実施形態に係るリーダライタ２００及び自動販売機について説明する。本実施形態が前述した第４の実施形態と異なる点は、ＲＷ制御部２０７が、一つの電子マネーサービスに対応する電子マネー情報が記憶された非接触ＩＣカード（第１の非接触ＩＣカード３００）と通信可能になることにより、電子マネーの決済処理に用いられる電子マネーサービスを検出すると、該電子マネーサービスが検出された場合の表示内容を自動販売機の商品情報表示部１５及び表示部１６に表示させるための表示制御情報を、自動販売機の主制御部１００に送信する点にある。他の構成及び動作については第４の実施形態と同様なので、ここでは相違点のみを説明する。
【００８８】
本実施形態において電子マネーを用いて商品購入を行う際の自動販売機の主制御部１００及びリーダライタ２００のＲＷ制御部２０７の動作について、図１１のシーケンス図を参照して説明する。
【００８９】
ＲＷ制御部２０７は、所定の電波をアンテナ２０５から所定時間（例えば２０秒）放射させることにより非接触ＩＣカードの検出処理を行う（ステップＳ５−１）。なお、ここでの処理内容は、前述したステップＳ１−７の処理内容と同様である。また、本実施形態では、第１の非接触ＩＣカード３００が検出されたものとする。ここで、ＲＷ制御部２０７は、検出された第１の非接触ＩＣカード３００から電子マネーサービスＡのサービスＩＤ３０３ａ、利用者ＩＤ３０３ｂ及び電子マネー情報３０３ｃを読み出す。この場合、ＲＷ制御部２０７は、一つの電子マネーサービス（電子マネーサービスＡ）に対応する電子マネー情報が記憶された第１の非接触ＩＣカード３００と通信可能になることにより、該電子マネーサービスＡを、電子マネーの決済処理に用いられる電子マネーサービスとして検出する。そして、ＲＷ制御部２０７は、第１の非接触ＩＣカード３００から読み出したサービスＩＤ３０３ａ及び電子マネー情報３０３ｃと、電子マネーサービスＡのロゴデータと、電子マネーサービスＡが用いられたときの各商品Ｃの電子マネー価格とを表示制御情報として主制御部１００に送信する（ステップＳ５−２）。
【００９０】
主制御部１００は、リーダライタ２００から表示制御情報を受信すると、選択電子マネーサービスの表示処理を行う（ステップＳ５−３）。具体的に説明すると、主制御部１００は、表示制御情報に含まれる電子マネー情報３０３ｃ及び電子マネーサービスＡのロゴデータを表示部１６に表示させるとともに、各商品Ｃの電子マネー価格を各商品Ｃに対応する商品情報表示部１５に表示させる。これにより、電子マネーサービスＡに応じた表示内容を、自動販売機の商品情報表示部１５及び表示部１６に容易に表示させることができる。この場合、例えば電子マネーサービス選択ボタン等の電子マネーサービス選択部を用いて電子マネーサービスを選択するという操作が不要となることから、商品購入時における利用者の利便性を向上させることができる。
【００９１】
また、主制御部１００は、利用者が商品選択ボタン１４を用いて商品Ｃを選択すると（ステップＳ５−４）、選択された商品Ｃに対応する商品選択ボタン１４の選択ランプを点灯させるとともに、選択商品の電子マネー価格を表示部１６に表示させる。また、主制御部１００は、選択された商品Ｃの商品情報を記憶部１１０から抽出し、該商品情報をリーダライタ２００に送信する（ステップＳ５−５）。
【００９２】
ＲＷ制御部２０７は、商品情報を受信すると、商品情報に含まれる商品Ｃに対応する電子マネー価格と、検出された電子マネーサービスとに基づいて、ステップＳ１−８と同様に電子マネーの決済処理を行い（ステップＳ５−６）、決済処理が正常に終了した場合には、決済終了信号、カードＩＤ、利用者ＩＤ４０３ｂ及び電子マネー価格からなる決済履歴を、コネクタ２０１を介して主制御部１００に送信する（ステップＳ５−７）。
【００９３】
このように、ＲＷ制御部２０７は、一つの電子マネーサービス（電子マネーサービスＡ）に対応する電子マネー情報３０３ｃが記憶された第１の非接触ＩＣカード３００と通信可能になることにより、電子マネーの決済処理に用いられる電子マネーサービス（電子マネーサービスＡ）を検出すると、該電子マネーサービスが検出された場合の表示内容を自動販売機の商品情報表示部１５及び表示部１６に表示させるための表示制御情報を、自動販売機の主制御部１００に送信するので、電子マネーサービスＡに応じた表示内容を自動販売機の商品情報表示部１５及び表示部１６に容易に表示させることができる。従って、利用者が、商品Ｃの販売価格が変更されたことを、非接触ＩＣカードをリーダライタにかざすという容易な操作により確認できることから、利便性をより向上させることができる。
【００９４】
以下に、本発明の第６の実施形態に係るリーダライタ２００及び自動販売機について説明する。本実施形態が前述した各実施形態と異なる点は、商品購入が、第１の非接触ＩＣカード３００又は第２の非接触ＩＣカード４００をリーダライタ２００と通信可能な範囲内にかざし、電子マネーサービスを選択した後に、商品を選択するという順で行われる点にある。他の構成及び動作については前述した各実施形態と同様なので、ここでは相違点のみを説明する。
【００９５】
本実施形態において電子マネーを用いて商品購入を行う際の自動販売機の主制御部１００及びリーダライタ２００のＲＷ制御部２０７の動作について、図１２のシーケンス図を参照して説明する。
【００９６】
ＲＷ制御部２０７は、所定の電波をアンテナ２０５から所定時間（例えば２０秒）放射させることにより非接触ＩＣカードの検出処理を行う（ステップＳ６−１）。なお、ここでの処理内容は、前述したステップＳ１−７の処理内容と同様である。また、本実施形態では、第２の非接触ＩＣカード４００が検出されたものとする。そして、ＲＷ制御部２０７は、検出された第２の非接触ＩＣカード４００から各電子マネーサービスＡ，ＢのサービスＩＤ４０３ａ，４０４ａ、利用者ＩＤ４０３ｂ，４０４ｂ及び電子マネー情報４０３ｃ，４０４ｃを読み出し、読み出された情報をＩＣカード情報として主制御部１００に送信する（ステップＳ６−２）。
【００９７】
一方、主制御部１００は、ＩＣカード情報をリーダライタ２００から受信すると、ＩＣカード情報に含まれる電子マネー情報４０３ｃ，４０４ｃを表示部１６に表示させる（ステップＳ６−３）。
【００９８】
また、ＲＷ制御部２０７は、利用者が電子マネーサービス選択ボタン２０３を用いて一つの電子マネーサービス（例えば電子マネーサービスＡ）を選択すると（ステップＳ６−４）、電子マネーサービスＡのサービスＩＤ３０３ａを記憶部２０６から抽出した後に、該サービスＩＤ３０３ａ、電子マネーサービスＡのロゴデータ及び電子マネーサービスＡが用いられたときの各商品Ｃの電子マネー価格を表示制御情報として主制御部１００に送信する（ステップＳ６−５）。そして、主制御部１００は、表示制御情報をリーダライタ２００から受信すると、選択電子マネーサービスの表示処理を行う（ステップＳ６−６）。ここでの処理内容は、前述したステップＳ２−９の処理内容と同様である。
【００９９】
次に、利用者が商品選択ボタン１４を用いて商品Ｃを選択すると（ステップＳ６−７）、主制御部１１０は、選択された商品Ｃに対応する商品選択ボタン１４の選択ランプを点灯させるとともに、選択商品の電子マネー価格を表示部１６に表示させる。また、主制御部１１０は、選択された商品Ｃの電子マネー価格を含む商品情報をリーダライタ２００に送信する（ステップＳ６−８）。
【０１００】
そして、ＲＷ制御部２０７は、受信した商品情報に含まれる電子マネー価格と、選択された電子マネーサービスとに基づいて、電子マネーの決済処理を行う（ステップＳ６−９）。なお、ここでの処理内容は、前述したステップＳ１−８の処理内容と同様である。また、決済処理が正常に終了した場合には、ＲＷ制御部２０７は、決済終了信号、カードＩＤ、利用者ＩＤ４０３ｂ及び電子マネー価格からなる決済履歴を、コネクタ２０１を介して主制御部１００に送信する（ステップＳ６−１０）。
【０１０１】
このように、本実施形態の自動販売機用リーダライタ２００及び自動販売機によれば、ＲＷ制御部２０７は、第２の非接触ＩＣカード４００と通信可能になった後に電子マネーサービスＡが電子マネーサービス選択ボタン２０３を用いて選択された場合に、第２の非接触ＩＣカード４００に記憶された複数の電子マネー情報４０３ｃ，４０４ｃそれぞれに対応する複数の電子マネーサービスのうち一つの電子マネーサービスが選択されたことを識別可能な表示内容を自動販売機の商品情報表示部１５及び表示部１６に表示させるための表示制御情報を、自動販売機の主制御部１００に送信するので、第２の非接触ＩＣカード４００に記憶された複数の電子マネーサービスのうち一つの電子マネーサービスが選択されたことを利用者が容易に確認することができ、利便性をより向上させることができる。
【０１０２】
なお、上記ステップＳ６−１において、第１の非接触ＩＣカード３００が検出された場合の主制御部１００及びＲＷ制御部２０７の動作は、前述した第５の実施形態の動作と同様である。
【０１０３】
以下に、本発明の第７の実施形態に係るリーダライタ２００及び自動販売機について説明する。本実施形態が前述した各実施形態と異なる点は、商品購入が、電子マネーサービスを選択し、商品を選択した後に、第１の非接触ＩＣカード３００又は第２の非接触ＩＣカード４００をリーダライタ２００と通信可能な範囲内にかざすという順で行われる点にある。他の構成及び動作については前述した各実施形態と同様なので、ここでは相違点のみを説明する。
【０１０４】
本実施形態において電子マネーを用いて商品購入を行う際の自動販売機の主制御部１００及びリーダライタ２００のＲＷ制御部２０７の動作について、図１３のシーケンス図を参照して説明する。
【０１０５】
ＲＷ制御部２０７は、利用者が電子マネーサービス選択ボタン２０３を用いて一つの電子マネーサービス（例えば電子マネーサービスＡ）を選択すると（ステップＳ７−１）、電子マネーサービスＡが用いられたときの各商品Ｃの電子マネー価格を記憶部２０６から抽出する。また、ＲＷ制御部２０７は、電子マネーサービスＡのサービスＩＤ３０３ａを記憶部２０６から抽出した後に、該サービスＩＤ３０３ａ、電子マネーサービスＡのロゴデータ及び抽出された各商品Ｃの電子マネー価格を表示制御情報として主制御部１００に送信する（ステップＳ７−２）。
【０１０６】
一方、主制御部１００は、リーダライタ２００から表示制御情報を受信すると、選択電子マネーサービスの表示処理を行う（ステップＳ７−３）。この場合、主制御部１００は、表示制御情報に含まれる電子マネーサービスＡのロゴデータを表示部１６に表示させるとともに、表示制御情報に含まれる各商品Ｃの電子マネー価格を各商品Ｃに対応する商品情報表示部１５に表示させる。
【０１０７】
次いで、主制御部１００は、利用者が商品選択ボタン１４を用いて商品Ｃを選択すると（ステップＳ７−４）、選択された商品Ｃに対応する商品選択ボタン１４の選択ランプを点灯させるとともに、選択商品の電子マネー価格を表示部１６に表示させる。また、主制御部１１０は、選択された商品Ｃの電子マネー価格を含む商品情報をリーダライタ２００に送信する（ステップＳ７−５）。
【０１０８】
ＲＷ制御部２０７は、商品情報を受信すると、所定の電波をアンテナ２０５から所定時間（例えば２０秒）放射させることにより非接触ＩＣカードの検出処理を行う（ステップＳ７−６）。なお、ここでの処理内容は、前述したステップＳ１−７の処理内容と同様である。また、本実施形態では、第１の非接触ＩＣカード３００が検出されたものとする。
【０１０９】
そして、ＲＷ制御部２０７は、受信した商品情報に含まれる電子マネー価格と、選択された電子マネーサービスとに基づいて、電子マネーの決済処理を行う（ステップＳ７−７）。なお、ここでの処理内容は、前述したステップＳ１−８の処理内容と同様である。また、決済処理が正常に終了した場合には、ＲＷ制御部２０７は、決済終了信号、カードＩＤ、利用者ＩＤ３０３ｂ及び電子マネー価格からなる決済履歴を、コネクタ２０１を介して主制御部１００に送信する（ステップＳ７−８）。
【０１１０】
このように、本実施形態の自動販売機用リーダライタ２００及び自動販売機によれば、選択された電子マネーサービスに応じた表示内容を自動販売機の商品情報表示部１５及び表示部１６に表示させることができるので、例えば選択された電子マネーサービスの商品価格を自動販売機の商品情報表示部１５及び表示部１６に表示させることができる。従って、選択された電子マネーサービスの電子マネー価格に基づいて電子マネーの決済処理が行われていることを利用者が容易に判別することができ、電子マネーを用いた商品購入の利便性を向上させることができる。
【０１１１】
以下に、本発明の第８の実施形態に係るリーダライタ２００及び自動販売機について説明する。本実施形態が前述した各実施形態と異なる点は、商品購入が、電子マネーサービスを選択し、第１の非接触ＩＣカード３００又は第２の非接触ＩＣカード４００をリーダライタ２００と通信可能な範囲内にかざした後に、商品を選択するという順で行われる点にある。他の構成及び動作については前述した各実施形態と同様なので、ここでは相違点のみを説明する。
【０１１２】
本実施形態において電子マネーを用いて商品購入を行う際の自動販売機の主制御部１００及びリーダライタ２００のＲＷ制御部２０７の動作について、図１４のシーケンス図を参照して説明する。
【０１１３】
ＲＷ制御部２０７は、利用者が電子マネーサービス選択ボタン２０３を用いて一つの電子マネーサービス（例えば電子マネーサービスＡ）を選択すると（ステップＳ８−１）、電子マネーサービスＡが用いられたときの各商品Ｃの電子マネー価格を記憶部２０６から抽出する。また、ＲＷ制御部２０７は、電子マネーサービスＡのサービスＩＤ３０３ａを記憶部２０６から抽出した後に、該サービスＩＤ３０３ａ、電子マネーサービスＡのロゴデータ及び抽出された各商品Ｃの電子マネー価格を表示制御情報として主制御部１００に送信する（ステップＳ８−２）。
【０１１４】
一方、主制御部１００は、リーダライタ２００から表示制御情報を受信すると、選択電子マネーサービスの表示処理を行う（ステップＳ８−３）。この場合、主制御部１００は、表示制御情報に含まれる電子マネーサービスＡのロゴデータを表示部１６に表示させるとともに、表示制御情報に含まれる各商品Ｃの電子マネー価格を各商品Ｃに対応する商品情報表示部１５に表示させる。
【０１１５】
次に、ＲＷ制御部２０７は、電子マネーサービスが選択されると、所定の電波をアンテナ２０５から所定時間（例えば２０秒）放射させることにより非接触ＩＣカードの検出処理を行う（ステップＳ８−４）。なお、ここでの処理内容は、前述したステップＳ１−７の処理内容と同様である。また、本実施形態では、第１の非接触ＩＣカード３００が検出されたものとする。そして、ＲＷ制御部２０７は、検出された第１の非接触ＩＣカード３００から電子マネーサービスＡのサービスＩＤ４０３ａ、利用者ＩＤ４０３ｂ及び電子マネー情報４０３ｃを読み出し、読み出された情報をＩＣカード情報として主制御部１００に送信する（ステップＳ８−５）。
【０１１６】
次いで、主制御部１００は、ＩＣカード情報をリーダライタ２００から受信すると、ＩＣカード情報に含まれる電子マネー情報４０３ｃを表示部１６に表示させる（ステップＳ８−６）。そして、利用者が商品選択ボタン１４を用いて商品Ｃを選択すると（ステップＳ８−７）、主制御部１１０は、選択された商品Ｃに対応する商品選択ボタン１４の選択ランプを点灯させるとともに、選択商品の電子マネー価格を表示部１６に表示させる。また、主制御部１１０は、選択された商品Ｃの電子マネー価格を含む商品情報をリーダライタ２００に送信する（ステップＳ８−８）。
【０１１７】
そして、ＲＷ制御部２０７は、受信した商品情報に含まれる電子マネー価格と、選択された電子マネーサービスとに基づいて、電子マネーの決済処理を行う（ステップＳ８−９）。なお、ここでの処理内容は、前述したステップＳ１−８の処理内容と同様である。また、決済処理が正常に終了した場合には、ＲＷ制御部２０７は、決済終了信号、カードＩＤ、利用者ＩＤ３０３ｂ及び電子マネー価格からなる決済履歴を、コネクタ２０１を介して主制御部１００に送信する（ステップＳ８−１０）。
【０１１８】
このように、本実施形態の自動販売機用リーダライタ２００及び自動販売機によれば、選択された電子マネーサービスに応じた表示内容を自動販売機の商品情報表示部１５及び表示部１６に表示させることができるので、例えば選択された電子マネーサービスの商品価格を自動販売機の商品情報表示部１５及び表示部１６に表示させることができる。従って、選択された電子マネーサービスの電子マネー価格に基づいて電子マネーの決済処理が行われていることを利用者が容易に判別することができ、電子マネーを用いた商品購入の利便性を向上させることができる
なお、上記実施形態は本発明の一具体例に過ぎず、本発明が上記実施形態のみに限定されることはない。例えば、前記実施形態では、第１及び第２の非接触ＩＣカード３００，４００を情報記憶媒体として用いたものを示したが、他にもＲＦＩＤ（Radio Frequency Identification）タグやＩＣチップを搭載した携帯電話等を情報記憶媒体として用いてもよい。
【０１１９】
また、主制御部１００を、複数の電子マネーサービスのロゴデータを表示部１６に表示させ、表示制御情報をリーダライタ２００から受信すると、表示部１６に表示された複数のロゴデータのうち表示制御情報に含まれるロゴデータと同一のロゴデータ又は表示制御情報に含まれる電子マネーサービスのサービスＩＤに対応するロゴデータを拡大・点滅表示させるように構成してもよい。これにより、選択された電子マネーサービスをより明確に確認することが可能となる。
【符号の説明】
【０１２０】
１４…商品選択ボタン、１５…商品情報表示部、１６…表示部、１００…主制御部、２００…自動販売機用リーダライタ、２０３…電子マネーサービス選択ボタン、２０７…リーダライタ制御部、３００…第１の非接触ＩＣカード、４００…第２の非接触ＩＣカード、Ｃ…商品
【図１】
0005421706.tif 000002
【図２】
0005421706.tif 000003
【図３】
0005421706.tif 000004
【図４】
0005421706.tif 000005
【図５】
0005421706.tif 000006
【図６】
0005421706.tif 000007
【図７】
0005421706.tif 000008
【図８】
0005421706.tif 000009
【図９】
0005421706.tif 000010
【図１０】
0005421706.tif 000011
【図１１】
0005421706.tif 000012
【図１２】
0005421706.tif 000013
【図１３】
0005421706.tif 000014
【図１４】
0005421706.tif 000015